(57)【要約】【課題】映像音響機器において、メニュー画面の表示時に、ユーザが、メニュー画面を消去する操作を行うことなく、メニュー画面上のカーソルの移動指示操作に用いられる操作キーを用いて、メニュー画面上のカーソルの移動指示操作と、他の処理の指示操作の両方を行う。【解決手段】フリック操作時にユーザによって最初にタッチされるエンター・キー２５と、エンター・キー２５へのタッチに続けてタッチされるキー２１〜２４とを、装置本体に設けた。そして、メニュー画面の表示時に、ユーザによって、上記のキー２１〜２４とエンター・キー２５とを用いたフリック操作が行われると、チャンネルアップ、チャンネルダウン、ボリュームアップ、又はボリュームダウンの処理を行い、ユーザによって、キー２１〜２４への単独のタッチ操作が行われると、メニュー画面上のカーソルの上・下・左・右方向への移動処理を行うようにした。【選択図】図２
2013153292.tif 000002
【特許請求の範囲】
【請求項１】
装置本体への指示操作を行うための複数の操作キーを備え、これらの操作キーが、メニュー画面上のカーソルの移動指示操作と、他の処理の指示操作とに兼用される映像音響機器において、
前記複数の操作キーは、フリック操作時にユーザによって最初にタッチされる第１の種類の操作キーと、フリック操作時にユーザによって前記第１の種類の操作キーへのタッチに続けてタッチされる第２の種類の操作キーとを含み、
前記メニュー画面が表示されているときに、ユーザによって前記第１の種類の操作キーと前記第２の種類の操作キーとを用いたフリック操作が行われると、前記メニュー画面上のカーソルの移動処理と前記他の処理のうちのいずれか一方の処理を行い、前記第２の種類の操作キーへの単独のタッチ操作が行われると、前記カーソルの移動処理と前記他の処理のうち、前記フリック操作時に行われなかった方の処理を行う制御手段をさらに備えることを特徴とする映像音響機器。
【請求項２】
前記第２の種類の操作キーは、チャンネルアップ・キー、チャンネルダウン・キー、ボリュームアップ・キー、及びボリュームダウン・キーを含むことを特徴とする請求項１に記載の映像音響機器。
【請求項３】
前記第１の種類の操作キーは、エンター・キーであることを特徴とする請求項１又は請求項２に記載の映像音響機器。
【請求項４】
前記複数の操作キーは、タッチスイッチであることを特徴とする請求項１乃至請求項３のいずれか一項に記載の映像音響機器。
【請求項５】
前記複数の操作キーは、静電容量方式のタッチスイッチであることを特徴とする請求項４に記載の映像音響機器。
【請求項６】
前記映像音響機器は、テレビジョン受像機であることを特徴とする請求項１乃至請求項５のいずれか一項に記載の映像音響機器。
【請求項７】
前記複数の操作キーが、装置本体の筐体に設けられていることを特徴とする請求項１乃至請求項６のいずれか一項に記載の映像音響機器。
【請求項８】
前記装置本体とは別体に設けられたリモコン装置をさらに備え、前記複数の操作キーが、前記リモコン装置に設けられていることを特徴とする請求項１乃至請求項７のいずれか一項に記載の映像音響機器。
【発明の詳細な説明】
【技術分野】
【０００１】
本発明は、装置本体への指示操作を行うための複数の操作キーを備えた、テレビジョン受像機等の映像音響機器に関する。
【背景技術】
【０００２】
従来のテレビジョン受像機等の映像音響機器は、装置本体の筐体に、チャンネルアップ・キー、チャンネルダウン・キー、ボリュームアップ・キー、ボリュームダウン・キー等の操作用のキー（操作キー）を持つものが多い。例えば、テレビジョン受像機の場合、上記の各種の操作用のキーは、ディスプレイ（表示パネル）上にメニュー画面を表示しているときには、カーソルキー（メニュー画面上のカーソルの移動指示操作用のキー）として用いられる。
【０００３】
また、テレビジョン受像機等の電子機器のリモートコントロール装置（以下、「リモコン装置」と略す）の分野において、チャンネル選局用のキー（選局キー）を円周上に均等間隔に配置し、メニューモード時に、これらのキーをカーソルキーとして機能させるようにしたものが知られている（特許文献１参照）。
【先行技術文献】
【特許文献】
【０００４】
【特許文献１】特開平７−１５７６７号公報
【発明の概要】
【発明が解決しようとする課題】
【０００５】
けれども、上記従来のテレビジョン受像機等の映像音響機器には、以下の問題があった。すなわち、例えば、テレビジョン受像機の場合、メニュー画面の表示時には、上記の各種の操作用のキーは、カーソルキーとしてのみ機能し、チャンネルアップ・キー、チャンネルダウン・キー、ボリュームアップ・キー、ボリュームダウン・キー等の（カーソルの移動指示操作以外の）各種の操作用のキーとしては機能しない。従って、ユーザが、メニュー画面の表示時に、ボリューム（音量）を変更したい（ボリュームダウン操作又はボリュームアップ操作を行いたい）場合や、チャンネルを変えたい（チャンネルアップ操作又はチャンネルダウン操作を行いたい）場合には、一旦メニュー画面を消去してから、チャンネルアップ・キー、チャンネルダウン・キー、ボリュームアップ・キー、ボリュームダウン・キー等の操作用のキーを押す必要がある。このため、装置の操作性が悪く、ユーザにストレスを与えるという問題があった。
【０００６】
上記の問題は、ユーザが、上記の装置本体の筐体に設けられた操作用のキーを使用する場合だけではなく、リモコン装置を使用する場合にも起こり得る。より具体的に説明すると、映像音響機器の操作用のリモコン装置が、メニュー画面上のカーソルの移動指示操作に用いられるキー（いわゆる十字キー）以外に、専用のチャンネルアップ・キー、チャンネルダウン・キー、ボリュームアップ・キー、及びボリュームダウン・キー（以下、「チャンネルとボリュームのアップダウン・キーという」）を有している場合には、上記の問題は生じないが、コストを削減するために、上記のメニュー画面上のカーソルの移動指示操作に用いられる十字キーを、上記のチャンネルとボリュームのアップダウン・キーとして兼用する場合には、上記の装置本体の筐体に設けられた操作用のキーを使用する場合と同じ問題が生じる。
【０００７】
また、上記特許文献１に記載の発明では、チャンネル選局用のキー（選局キー）を１２個も設けて、メニューモード時に、これらのキーをカーソルキーとして機能させるようにすると共に、専用のボリュームアップ・キーとボリュームダウン・キーを設けたことにより、明記はされていないが、ユーザが、メニュー画面の表示時に、ボリューム（音量）を変更することが可能かもしれない。しかしながら、この特許文献１に記載の発明においても、チャンネル選局の指示操作と、メニュー画面上のカーソルの移動指示操作とに兼用されるキー（選局キー）を、ユーザが、メニュー画面の表示時に、チャンネル選局の指示操作に用いることはできない。
【０００８】
本発明は、上記課題を解決するものであり、メニュー画面の表示時に、ユーザが、メニュー画面を消去する操作を行うことなく、メニュー画面上のカーソルの移動指示操作に用いられる操作キーを用いて、メニュー画面上のカーソルの移動指示操作と、他の処理の指示操作の両方を行うことが可能な映像音響機器を提供することを目的とする。
【課題を解決するための手段】
【０００９】
上記課題を解決するために、請求項1の発明は、装置本体への指示操作を行うための複数の操作キーを備え、これらの操作キーが、メニュー画面上のカーソルの移動指示操作と、他の処理の指示操作とに兼用される映像音響機器において、前記複数の操作キーは、フリック操作時にユーザによって最初にタッチされる第１の種類の操作キーと、フリック操作時にユーザによって前記第１の種類の操作キーへのタッチに続けてタッチされる第２の種類の操作キーとを含み、前記メニュー画面が表示されているときに、ユーザによって前記第１の種類の操作キーと前記第２の種類の操作キーとを用いたフリック操作が行われると、前記メニュー画面上のカーソルの移動処理と前記他の処理のうちのいずれか一方の処理を行い、前記第２の種類の操作キーへの単独のタッチ操作が行われると、前記カーソルの移動処理と前記他の処理のうち、前記フリック操作時に行われなかった方の処理を行う制御手段をさらに備えるものである。
【００１０】
請求項２の発明は、請求項１に記載の映像音響機器において、前記第２の種類の操作キーは、チャンネルアップ・キー、チャンネルダウン・キー、ボリュームアップ・キー、及びボリュームダウン・キーを含むものである。
【００１１】
請求項３の発明は、請求項１又は請求項２に記載の映像音響機器において、前記第１の種類の操作キーが、エンター・キーであるものである。
【００１２】
請求項４の発明は、請求項１乃至請求項３のいずれか一項に記載の映像音響機器において、前記複数の操作キーは、タッチスイッチであるものである。
【００１３】
請求項５の発明は、請求項４に記載の映像音響機器において、前記複数の操作キーは、静電容量方式のタッチスイッチであるものである。
【００１４】
請求項６の発明は、請求項１乃至請求項５のいずれか一項に記載の映像音響機器が、テレビジョン受像機であるものである。
【００１５】
請求項７の発明は、請求項１乃至請求項６のいずれか一項に記載の映像音響機器において、前記複数の操作キーが、装置本体の筐体に設けられているものである。
【００１６】
請求項８の発明は、請求項１乃至請求項７のいずれか一項に記載の映像音響機器において、前記装置本体とは別体に設けられたリモコン装置をさらに備え、前記複数の操作キーが、前記リモコン装置に設けられているものである。
【発明の効果】
【００１７】
請求項１の発明によれば、メニュー画面が表示されているときに（メニュー画面の表示時に）、ユーザによって第１の種類の操作キーと第２の種類の操作キーとを用いたフリック操作（ユーザが、第１の種類の操作キーへのタッチに続けて第２の種類の操作キーへのタッチを行う操作）が行われると、メニュー画面上のカーソルの移動処理と他の処理のうちのいずれか一方の処理を行い、第２の種類の操作キーへの単独のタッチ操作が行われると、カーソルの移動処理と他の処理のうち、フリック操作時に行われなかった方の処理を行う。これにより、メニュー画面の表示時に、ユーザが、メニュー画面を消去する操作を行うことなく、メニュー画面上のカーソルの移動指示操作に用いられる第２の種類の操作キーを用いて、メニュー画面上のカーソルの移動指示操作と、他の処理の指示操作の両方を行うことができる。従って、装置の操作性を向上させて、ユーザの操作時におけるストレスを軽減させることができる。
【００１８】
請求項２の発明によれば、メニュー画面の表示時に、ユーザが、メニュー画面を消去する操作を行うことなく、メニュー画面上のカーソルの移動指示操作に用いられる第２の種類の操作キーを用いて、ボリュームアップ操作、ボリュームダウン操作、チャンネルアップ操作又はチャンネルダウン操作と、メニュー画面上のカーソルの移動指示操作の両方を行うことができる。
【００１９】
請求項４の発明によれば、フリック操作に適したタッチスイッチを用いたことにより、上記に記載の効果を的確に得ることができる。
【００２０】
請求項５の発明によれば、フリック操作に適した静電容量方式のタッチスイッチを用いたことにより、上記に記載の効果を的確に得ることができる。
【００２１】
請求項７の発明によれば、装置本体への指示操作を行うための複数の操作キーが装置本体の筐体に設けられた映像音響機器において、上記に記載の効果を得ることができる。
【００２２】
請求項８の発明によれば、装置本体への指示操作を行うための複数の操作キーがリモコン装置に設けられた映像音響機器において、上記に記載の効果を得ることができる。
【図面の簡単な説明】
【００２３】
【図１】本発明の第１の実施形態に係る映像音響機器であるＴＶ受像機の電気的ブロック構成図。
【図２】同ＴＶ受像機の操作部に設けられた各タッチスイッチ（各キー）の配置と、センサ基板上におけるこれらのタッチスイッチの電極等の配置を示す図。
【図３】本発明の第２の実施形態に係る映像音響機器であるＴＶ受像機の電気的ブロック構成図。
【発明を実施するための形態】
【００２４】
以下、本発明の一実施形態について、図面を参照して説明する。以下の実施形態では、本発明を液晶ディジタルテレビジョン受像機に適用した場合の例について説明する。なお、以下に記載した実施形態は、本発明を網羅するものではなく、本発明は、下記の形態だけに限定されない。
【００２５】
図１は、本発明の第１の本実施形態による映像音響機器である液晶ディジタルテレビジョン受像機（以下、ＴＶ受像機という）の電気的ブロック構成を示す。図に示されるように、このＴＶ受像機１は、装置全体の制御を行うＣＰＵ１０（制御手段）を備えている。また、ＴＶ受像機１は、アンテナ１５を介してディジタルテレビジョン放送信号（トランスポートストリーム）を受信するためのチューナ２と、チューナ２で受信したトランスポートストリーム中のパケットをデコードすることにより、映像ストリーム、音声ストリーム、データストリームを生成するデコーダ３とを備えている。
【００２６】
また、ＴＶ受像機１は、デコーダ３で生成された映像ストリームに含まれる映像信号に対して画像処理等の各種の処理を施して、これらの処理後の映像信号を再生する映像信号処理回路４と、映像信号処理回路４から受信した映像信号に基づいて表示用電極を駆動する電極駆動回路５と、映像信号処理回路４による信号処理後の映像信号に基づく映像を表示する液晶表示パネル６とを備えている。
【００２７】
さらにまた、ＴＶ受像機１は、デコーダ３で生成された音声ストリームに含まれる音声信号に対して、Ｄ／Ａ変換処理を含む各種の音声信号処理を行う音声信号処理回路７と、音声信号処理回路７から出力された音声信号を増幅するアンプ８と、アンプ８で増幅された音声信号（駆動信号）に駆動されて音声を出力する内蔵の本体スピーカ９とを備えている。
【００２８】
上記のＴＶ受像機１は、後述する装置本体の筐体に設けられた操作部２０（図２参照）を有している。この操作部２０を構成する静電容量方式のタッチセンサのセンサ基板１２は、上記のＣＰＵ１０と接続されている。また、ＴＶ受像機１は、制御プログラム等のプログラムや各種のデータを記憶するためのメモリ１１を有している。
【００２９】
図２中の左下に示される（いわゆる）吹き出し内には、操作部２０における複数のタッチスイッチ（請求項における操作キー）の（マークの）配置を示す。操作部２０は、これらのタッチスイッチのマークがその表面に印字された樹脂部材等の誘電体と、この誘電体の裏面に貼り付けられた静電容量方式のタッチセンサのセンサ基板１２とから構成されている。図２に示されるように、この操作部２０には、チャンネルアップ・キー２１、チャンネルダウン・キー２２、ボリュームアップ・キー２３、ボリュームダウン・キー２４、エンター・キー２５（請求項における第１の種類の操作キー）、メニュー・キー２６、及び電源キー２７が設けられている。これらのキー２１〜２７は、いずれも静電容量方式のタッチスイッチである。チャンネルアップ・キー２１、チャンネルダウン・キー２２、ボリュームアップ・キー２３、及びボリュームダウン・キー２４が、請求項における第２の種類の操作キーに相当する。メニュー・キー２６と電源キー２７とは、それぞれメニュー画面の表示・消去の指示操作と、ＴＶ受像機１の電源のオン・オフの指示操作とに用いられる。
【００３０】
図の右下に示されるように、上記のセンサ基板１２には、上記の各キー２１〜２７の電極３１〜３７が設けられている。電極３１、３２、３３、３４、３５、３６、３７は、それぞれ上記のチャンネルアップ・キー２１、チャンネルダウン・キー２２、ボリュームアップ・キー２３、ボリュームダウン・キー２４、エンター・キー２５、メニュー・キー２６、電源キー２７に対応している。また、センサ基板１２は、検出用マイコン３８を有している。この検出用マイコン３８は、上記の誘電体の表面に印刷された各キー２１〜２７のマークをユーザの指がタッチしたときに、このタッチに起因する静電容量の増加を検出して、検出信号を図１に示されるＣＰＵ１０に出力する。
【００３１】
メニュー画面の非表示時には、上記のチャンネルアップ・キー２１、チャンネルダウン・キー２２、ボリュームアップ・キー２３、ボリュームダウン・キー２４は、それぞれチャンネルアップ、チャンネルダウン、ボリュームダウン、ボリュームアップの各処理の指示操作に用いられる。
【００３２】
これに対して、メニュー画面が表示されているときには、上記のチャンネルアップ・キー２１、チャンネルダウン・キー２２、ボリュームアップ・キー２３、ボリュームダウン・キー２４は、それぞれチャンネルアップ、チャンネルダウン、ボリュームダウン、ボリュームアップの各処理の指示操作と、メニュー画面上のカーソルの移動指示操作とに兼用される。すなわち、メニュー画面が表示されているときに、ユーザによって、チャンネルアップ・キー２１、チャンネルダウン・キー２２、ボリュームアップ・キー２３、又はボリュームダウン・キー２４と、エンター・キー２５とを用いたフリック操作（ユーザが、エンター・キー２５へのタッチに続けて、キー２１〜２４のうちのいずれか一つのキーへのタッチを行う操作）が行われると、ＣＰＵ１０は、検出用マイコン３８から出力された検出信号に基づいて、チャンネルアップ、チャンネルダウン、ボリュームアップ、又はボリュームダウンの処理を実行する。これらの処理（チャンネルアップ、チャンネルダウン、ボリュームアップ、又はボリュームダウン）が、請求項における「他の処理」に相当する。また、メニュー画面が表示されているときに、ユーザによって、チャンネルアップ・キー２１、チャンネルダウン・キー２２、ボリュームアップ・キー２３、又はボリュームダウン・キー２４への単独のタッチ操作が行われると、ＣＰＵ１０は、検出用マイコン３８から出力された検出信号に基づいて、メニュー画面上のカーソルの上・下・左・右方向への移動処理を行う。
【００３３】
より具体的に説明すると、ユーザが、メニュー画面の表示時に、ボリュームダウンをさせたい場合には、エンター・キー２５を押して（タッチして）から、指をボリュームダウン・キー２４にスライドさせるというフリック操作を行うことにより、ボリュームダウンの指示操作を行う。この場合、ＣＰＵ１０は、検出用マイコン３８から出力された検出信号に基づき、所定時間以内に、エンター・キー２５へのタッチの検出に続けて、ボリュームダウン・キー２４へのタッチの検出をした場合に、ボリュームダウンの指示操作が行われたと認識する。また、ユーザが、メニュー画面の表示時に、連続してボリュームダウンをさせたい場合には、上記のエンター・キー２５をタッチしてから、指をボリュームダウン・キー２４にスライドさせるというフリック操作を行った後に、ボリュームダウン・キー２４を押し続ける（長押しする）。この場合、ＣＰＵ１０は、検出用マイコン３８から出力された検出信号に基づき、ユーザによるボリュームダウン・キー２４へのタッチの時間の長さに応じた回数だけ、連続してボリュームダウン処理を実行する。
【００３４】
また、ユーザが、メニュー画面の表示時に、ボリュームアップ、チャンネルアップ、又はチャンネルダウンをさせたい場合には、エンター・キー２５を押して（タッチして）から、指をボリュームアップ・キー２３、チャンネルアップ・キー２１、又はチャンネルダウン・キー２２にスライドさせるというフリック操作を行うことにより、ボリュームアップ、チャンネルアップ、又はチャンネルダウンの指示操作を行う。この場合、ＣＰＵ１０は、検出用マイコン３８から出力された検出信号に基づき、所定時間以内に、エンター・キー２５へのタッチの検出に続けて、ボリュームアップ・キー２３、チャンネルアップ・キー２１、又はチャンネルダウン・キー２２へのタッチの検出をした場合に、ボリュームアップ、チャンネルアップ、又はチャンネルダウンの指示操作が行われたと認識する。また、ボリュームダウン・キー２４の場合と同様に、ユーザが、メニュー画面の表示時に、連続して、ボリュームアップ、チャンネルアップ、又はチャンネルダウンをさせたい場合には、上記のエンター・キー２５をタッチしてから、指をボリュームアップ・キー２３、チャンネルアップ・キー２１、又はチャンネルダウン・キー２２にスライドさせるというフリック操作を行った後に、この時にタッチしているキー（ボリュームアップ・キー２３、チャンネルアップ・キー２１、又はチャンネルダウン・キー２２）を押し続ける（長押しする）。
【００３５】
上記のように、本実施形態のＴＶ受像機１によれば、メニュー画面が表示されているときに（メニュー画面の表示時に）、ユーザによって、チャンネルアップ・キー２１、チャンネルダウン・キー２２、ボリュームアップ・キー２３、又はボリュームダウン・キー２４と、エンター・キー２５とを用いたフリック操作（ユーザが、エンター・キー２５へのタッチに続けて、キー２１〜２４のうちのいずれか一つのキーへのタッチを行う操作）が行われると、チャンネルアップ、チャンネルダウン、ボリュームアップ、又はボリュームダウンの処理を行い、ユーザによって、チャンネルアップ・キー２１、チャンネルダウン・キー２２、ボリュームアップ・キー２３、又はボリュームダウン・キー２４への単独のタッチ操作が行われると、メニュー画面上のカーソルの上・下・左・右方向への移動処理を行う。これにより、メニュー画面の表示時に、ユーザが、メニュー画面を消去する操作を行うことなく、メニュー画面上のカーソルの移動指示操作に用いられるチャンネルアップ・キー２１、チャンネルダウン・キー２２、ボリュームアップ・キー２３、又はボリュームダウン・キー２４を用いて、メニュー画面上のカーソルの移動指示操作と、チャンネルアップ、チャンネルダウン、ボリュームアップ、又はボリュームダウンの指示操作の両方を行うことができる。従って、装置の操作性を向上させて、ユーザの操作時におけるストレスを軽減させることができる。
【００３６】
また、本実施形態のＴＶ受像機１によれば、上記のキー２１〜２４としてフリック操作に適した静電容量方式のタッチスイッチを用いたことにより、上記に記載の効果を、容易、かつ的確に得ることができる。
【００３７】
次に、図３を参照して、本発明の第２の実施形態によるＴＶ受像機１について説明する。第２の実施形態の半導体リレー装置１は、装置本体とは別体に設けられたリモコン装置４０を備え、上記の複数の静電容量方式のタッチスイッチが、装置本体の筐体ではなく、リモコン装置４０に設けられている点が、上記第１の実施形態と異なっている。具体的には、本実施形態の半導体リレー装置１におけるリモコン装置４０は、図３に示されるように、図２に示されるキー２１〜２７に相当するキー４１〜４７等のマークがその表面に印字された樹脂部材等の誘電体と、この誘電体の裏面に貼り付けられた静電容量方式のタッチセンサのセンサ基板（不図示）と、キー４１〜４７等を用いたユーザによる指示操作に応じた赤外線のリモコン信号を送信する送信部４９とから構成されている。より詳細に言うと、リモコン装置４０には、チャンネルアップ・キー４１、チャンネルダウン・キー４２、ボリュームアップ・キー４３、ボリュームダウン・キー４４、エンター・キー４５（請求項における第１の種類の操作キー）、メニュー・キー４６、及び電源キー４７等のタッチスイッチが設けられている。チャンネルアップ・キー４１、チャンネルダウン・キー４２、ボリュームアップ・キー４３、及びボリュームダウン・キー４４が、請求項における第２の種類の操作キーに相当する。メニュー・キー４６と電源キー４７とは、それぞれメニュー画面の表示・消去の指示操作と、ＴＶ受像機１の電源のオン・オフの指示操作とに用いられる。本実施形態における他の構成については、上記第１の実施形態と同様である。
【００３８】
メニュー画面の非表示時には、上記のチャンネルアップ・キー４１、チャンネルダウン・キー４２、ボリュームアップ・キー４３、ボリュームダウン・キー４４は、それぞれチャンネルアップ、チャンネルダウン、ボリュームダウン、ボリュームアップの各処理の指示操作に用いられる。
【００３９】
これに対して、メニュー画面が表示されているときには、上記のチャンネルアップ・キー４１、チャンネルダウン・キー４２、ボリュームアップ・キー４３、ボリュームダウン・キー４４は、それぞれチャンネルアップ、チャンネルダウン、ボリュームダウン、ボリュームアップの各処理の指示操作と、メニュー画面上のカーソルの移動指示操作とに兼用される。すなわち、メニュー画面が表示されているときに、ユーザによって、チャンネルアップ・キー４１、チャンネルダウン・キー４２、ボリュームアップ・キー４３、又はボリュームダウン・キー４４と、エンター・キー４５とを用いたフリック操作（ユーザが、エンター・キー４５へのタッチに続けて、キー４１〜４４のうちのいずれか一つのキーへのタッチを行う操作）が行われると、リモコン装置４０側のＣＰＵ５０は、このフリック操作を検知し、送信部４９を用いて、このフリック操作に相当する（赤外線の）リモコン信号を（エンター・キー４５へのタッチ操作に相当するリモコン信号と、キー４１〜４４のうちのいずれか一つのキーへのタッチ操作に相当するリモコン信号とを連続して）、ＴＶ受像機１に送信する。ＴＶ受像機１のＣＰＵ１０は、リモコン信号受信部１３を用いて、上記のフリック操作に相当するリモコン信号を受信すると、このリモコン信号に基づいて、チャンネルアップ、チャンネルダウン、ボリュームアップ、又はボリュームダウンの処理を実行する。また、メニュー画面が表示されているときに、ユーザによって、チャンネルアップ・キー４１、チャンネルダウン・キー４２、ボリュームアップ・キー４３、又はボリュームダウン・キー４４への単独のタッチ操作が行われると、リモコン装置４０側のＣＰＵ５０は、この単独のタッチ操作を検知し、送信部４９を用いて、この単独のタッチ操作に相当するリモコン信号（キー４１〜４４のうちのいずれか一つのキーへのタッチ操作に相当するリモコン信号）を、ＴＶ受像機１に送信する。ＴＶ受像機１のＣＰＵ１０は、リモコン信号受信部１３を用いて、上記の各指示コマンドに相当するリモコン信号を受信すると、このリモコン信号に基づいて、メニュー画面上のカーソルの上・下・左・右方向への移動処理を行う。
【００４０】
なお、本発明は、上記実施形態の構成に限られず、発明の趣旨を変更しない範囲で種々の変形が可能である。例えば、上記の各実施形態では、本発明を液晶ディジタルテレビジョン受像機に適用した場合の例を示したが、本発明を、ブルーレイディスクレコーダ、ハードディスクレコーダ等の各種のレコーダやプレーヤ、及びセットトップボックス等の映像音響機器に適用してもよい。
【００４１】
また、上記の各実施形態では、請求項における複数の操作キーとして静電容量方式のタッチスイッチを用いた場合の例を示したが、操作キーは、これに限られず、例えば、いわゆる押ボタンスイッチ（機械接点式のスイッチ）でもよく、また、抵抗膜方式、超音波表面弾性波方式、赤外線光学イメージング方式等のタッチスイッチであってもよい。
【００４２】
また、上記の各実施形態では、ユーザによって、キー２１〜２４（又は４１〜４４）のうちのいずれか一つのキーと、エンター・キー２５（又は４５）とを用いたフリック操作が行われると、チャンネルアップ、チャンネルダウン、ボリュームアップ、又はボリュームダウンの処理を行い、ユーザによって、キー２１〜２４（又は４１〜４４）への単独のタッチ操作が行われると、メニュー画面上のカーソルの上・下・左・右方向への移動処理を行うようにした。けれども、ユーザによって、キー２１〜２４（又は４１〜４４）のうちのいずれか一つのキーと、エンター・キー２５（又は４５）とを用いたフリック操作が行われると、メニュー画面上のカーソルの上・下・左・右方向への移動処理を行い、ユーザによって、キー２１〜２４（又は４１〜４４）への単独のタッチ操作が行われると、チャンネルアップ、チャンネルダウン、ボリュームアップ、又はボリュームダウンの処理を行うようにしてもよい。
【００４３】
さらにまた、上記の各実施形態では、「ユーザが、エンター・キー２５（又は４５）へのタッチに続けて、キー２１〜２４（又は４１〜４４）のうちのいずれか一つのキーへのタッチを行う（エンター・キー２５（又は４５）にタッチしてから、指をキー２１〜２４（又は４１〜４４）のうちのいずれか一つのキーにスライドさせる）」というフリック操作を行った場合に、チャンネルアップ、チャンネルダウン、ボリュームアップ、又はボリュームダウンの処理が行われる場合の例を示したが、「ユーザが、キー２１〜２４（又は４１〜４４）のうちのいずれか一つのキーへのタッチに続けて、エンター・キー２５（又は４５）へのタッチを行う（キー２１〜２４（又は４１〜４４）のうちのいずれか一つのキーにタッチしてから、指をエンター・キー２５（又は４５）にスライドさせる）」というフリック操作を行った場合に、上記のチャンネルアップ等の処理が行われるようにしてもよい。
【符号の説明】
【００４４】
１    ＴＶ受像機（映像音響機器）
１０  ＣＰＵ（制御手段）
２１  チャンネルアップ・キー（操作キー、第２の種類の操作キー）
２２  チャンネルダウン・キー（操作キー、第２の種類の操作キー）
２３  ボリュームアップ・キー（操作キー、第２の種類の操作キー）
２４  ボリュームダウン・キー（操作キー、第２の種類の操作キー）
２５  エンター・キー（操作キー、第１の種類の操作キー）
４１  チャンネルアップ・キー（操作キー、第２の種類の操作キー）
４２  チャンネルダウン・キー（操作キー、第２の種類の操作キー）
４３  ボリュームアップ・キー（操作キー、第２の種類の操作キー）
４４  ボリュームダウン・キー（操作キー、第２の種類の操作キー）
４５  エンター・キー（操作キー、第１の種類の操作キー）
【図１】
2013153292.tif 000003
【図２】
2013153292.tif 000004
【図３】
2013153292.tif 000005